(57)【要約】【課題】原稿に照射される光の光量を増加させる。【解決手段】第１の光源５５Ａおよび第２の光源５５Ｂは、平板状且つ長尺状に、付言すれば平面型に形成されている。また、第１の光源５５Ａおよび第２の光源５５Ｂの各々は、所定幅Ｌを有するとともに主走査方向に沿って配置されている。また、第１の光源５５Ａは、第２プラテンガラス５２Ｂ（搬送される原稿）に対して傾斜して形成されている。さらに、第２の光源５５Ｂも、第２プラテンガラス５２Ｂに対して傾斜して形成されている。さらに、第２の光源５５Ｂ等は、中央法線が被読み取り部Ａに向かうように第２の光源５５Ｂ等を配置した際の傾斜角α２よりも小さい傾斜角α１で配置されている。【選択図】図２
2009212745.tif 000002
【特許請求の範囲】
【請求項１】
原稿に対して光を出射する光出射面を備え、所定幅を有し長尺状に形成された光源と、
前記光源から出射され前記原稿の被読み取り部から反射された光を受光する受光部と、を備え、
前記光源は、前記原稿に対して傾斜して配置され、前記光出射面の幅方向中央部からの法線が前記被読み取り部以外に向かうように配置されたことを特徴とする画像読み取り装置。
【請求項２】
前記光源は、前記法線が前記被読み取り部に向かうように配置された場合の前記原稿に対する傾斜角度よりも小さい傾斜角度にて配置されたことを特徴とする請求項１記載の画像読み取り装置。
【請求項３】
前記光源は、ＥＬ素子により構成されていることを特徴とする請求項１又は２に記載の画像読み取り装置。
【請求項４】
光透過性を有し、前記原稿を支持する支持部を更に備え、
前記光源は、幅方向における一方側が前記支持部に接触して配置され、当該支持部を通じて前記原稿に光を照射することを特徴とする請求項１乃至３のいずれかに記載の画像読み取り装置。
【請求項５】
原稿を搬送する搬送手段と、
光透過性を有し、前記搬送手段による搬送される原稿を支持する支持部と、
前記支持部を通じて前記搬送される原稿の第１面に光を照射するとともに当該第１面からの反射光を受光して当該第１面の画像を読み取る読み取り手段と、を更に備え、
前記光源は、前記搬送される原稿の第２面に対して光を出射し、前記受光部は、当該原稿の当該第２面からの反射光を受光することを特徴とする請求項１乃至３のいずれかに記載の画像読み取り装置。
【請求項６】
原稿の被読み取り部からの反射光を受光する受光部と、
前記反射光の光路を挟んだ一方側に設けられ、前記原稿に対して光を出射する光出射面を備えた第１の光源と、
前記反射光の光路を挟んだ他方側に設けられ、前記原稿に対して光を出射する光出射面を備えた第２の光源と、を備え、
前記第１の光源および前記第２の光源は、当該第１の光源における前記光出射面の幅方向中央部からの法線と当該第２の光源における前記光出射面の幅方向中央部からの法線との交差位置が前記被読み取り部以外に位置するように配置されたことを特徴とする画像読み取り装置。
【請求項７】
前記第１の光源および前記第２の光源の各々は、前記法線が前記被読み取り部に向かうように配置された場合の前記原稿に対する傾斜角度よりも小さい傾斜角度にて配置されたことを特徴とする請求項６記載の画像読み取り装置。
【請求項８】
前記第１の光源および前記第２の光源は、前記交差位置が前記被読み取り部よりも当該第１の光源および当該第２の光源から離れた側に位置するように配置されたことを特徴とする請求項６記載の画像読み取り装置。
【請求項９】
前記第１の光源と前記第２の光源とは、前記反射光の光路を対称軸として線対称となる関係で配置されていることを特徴とする請求項６乃至８のいずれかに記載の画像読み取り装置。
【発明の詳細な説明】
【技術分野】
【０００１】
本発明は、原稿の画像を読み取る画像読み取り装置に関する。
【背景技術】
【０００２】
照明ユニットのコンパクト化を図るため、２つの発光領域が原稿に対して対向しており、且つ両発光領域の挟間部がスリット形状であり、原稿の反射光を透過して反射ミラーに導出する平面光源を備えた原稿読取装置が提案されている（例えば、特許文献１参照）。
【０００３】
【特許文献１】特開２０００−１１５４７０号公報
【発明の開示】
【発明が解決しようとする課題】
【０００４】
ところで、画像読み取り装置において、原稿に対し照射される光の光量が少ないと、例えばセンサにて受光される光の光量も低下し、画像を適切に読み取れないおそれがある。本発明の目的は、原稿に照射される光の光量を増加させることにある。
【課題を解決するための手段】
【０００５】
請求項１に記載の発明は、原稿に対して光を出射する光出射面を備え、所定幅を有し長尺状に形成された光源と、前記光源から出射され前記原稿の被読み取り部から反射された光を受光する受光部と、を備え、前記光源は、前記原稿に対して傾斜して配置され、前記光出射面の幅方向中央部からの法線が前記被読み取り部以外に向かうように配置されたことを特徴とする画像読み取り装置である。
請求項２に記載の発明は、前記光源は、前記法線が前記被読み取り部に向かうように配置された場合の前記原稿に対する傾斜角度よりも小さい傾斜角度にて配置されたことを特徴とする請求項１記載の画像読み取り装置である。
請求項３に記載の発明は、前記光源は、ＥＬ素子により構成されていることを特徴とする請求項１又は２に記載の画像読み取り装置である。
請求項４に記載の発明は、光透過性を有し、前記原稿を支持する支持部を更に備え、前記光源は、幅方向における一方側が前記支持部に接触して配置され、当該支持部を通じて前記原稿に光を照射することを特徴とする請求項１乃至３のいずれかに記載の画像読み取り装置である。
請求項５に記載の発明は、原稿を搬送する搬送手段と、光透過性を有し、前記搬送手段による搬送される原稿を支持する支持部と、前記支持部を通じて前記搬送される原稿の第１面に光を照射するとともに当該第１面からの反射光を受光して当該第１面の画像を読み取る読み取り手段と、を更に備え、前記光源は、前記搬送される原稿の第２面に対して光を出射し、前記受光部は、当該原稿の当該第２面からの反射光を受光することを特徴とする請求項１乃至３のいずれかに記載の画像読み取り装置である。
【０００６】
請求項６に記載の発明は、原稿の被読み取り部からの反射光を受光する受光部と、前記反射光の光路を挟んだ一方側に設けられ、前記原稿に対して光を出射する光出射面を備えた第１の光源と、前記反射光の光路を挟んだ他方側に設けられ、前記原稿に対して光を出射する光出射面を備えた第２の光源と、を備え、前記第１の光源および前記第２の光源は、当該第１の光源における前記光出射面の幅方向中央部からの法線と当該第２の光源における前記光出射面の幅方向中央部からの法線との交差位置が前記被読み取り部以外に位置するように配置されたことを特徴とする画像読み取り装置である。
請求項７に記載の発明は、前記第１の光源および前記第２の光源の各々は、前記法線が前記被読み取り部に向かうように配置された場合の前記原稿に対する傾斜角度よりも小さい傾斜角度にて配置されたことを特徴とする請求項６記載の画像読み取り装置である。
請求項８に記載の発明は、前記第１の光源および前記第２の光源は、前記交差位置が前記被読み取り部よりも当該第１の光源および当該第２の光源から離れた側に位置するように配置されたことを特徴とする請求項６記載の画像読み取り装置である。
請求項９に記載の発明は、前記第１の光源と前記第２の光源とは、前記反射光の光路を対称軸として線対称となる関係で配置されていることを特徴とする請求項６乃至８のいずれかに記載の画像読み取り装置である。
【発明の効果】
【０００７】
本発明の請求項１によれば、本発明を採用しない場合に比べ、原稿に照射される光の光量を増加させることができる。
本発明の請求項２によれば、照射光量の増加を図りつつ画像読み取り装置の小型化を図ることができる。
本発明の請求項３によれば、例えば消費電力を低減することが可能となる。
本発明の請求項４によれば、原稿に対し光源がより接近するため、本発明を採用しない場合に比べ、原稿に対する照射光量をより増すことができる。
本発明の請求項５によれば、本発明を採用しない場合に比べ、原稿の第２面に対する照射光量を増加させることができる。
本発明の請求項６によれば、本発明を採用しない場合に比べ、原稿に照射される光の光量を増加させることができる。
本発明の請求項７によれば、照射光量の増加を図りつつ画像読み取り装置の小型化を図ることができる。
本発明の請求項８によれば、第１の光源および第２の光源の原稿に対する傾斜角度が、本発明を採用しない場合に比べ小さくなるため、照射光量の増加を図りつつ画像読み取り装置の小型化を図ることができる。
本発明の請求項９によれば、本発明を採用しない場合に比べ、例えば第１の光源と第２の光源との配置設計を簡易なものとすることができる。
【発明を実施するための最良の形態】
【０００８】
以下、添付図面を参照して、本発明を実施するための最良の形態(以下、実施の形態という)について詳細に説明する。
図１は、本実施形態が適用される画像読み取り装置１の構成例を示す図である。同図に示す画像読み取り装置１では、固定された原稿の画像を読み取ることが可能であるとともに、搬送される原稿の画像を読み取ることも可能となっている。そして、この画像読み取り装置１は、積載された原稿束から原稿を順次搬送する原稿送り装置１０と、スキャンによって画像を読み込む読み取り装置５０とを備えている。
【０００９】
搬送手段の１つとして機能する原稿送り装置１０は、複数枚の原稿からなる原稿束を積載する原稿積載部１１、この原稿積載部１１の下方に設けられ、読み取りが終了した原稿を積載する排紙積載部１２を備える。また、原稿送り装置１０は、原稿積載部１１の原稿を取り出して搬送するナジャーロール１３を備える。さらに、ナジャーロール１３の原稿搬送方向下流側には、フィードロールおよびリタードロールによって用紙を一枚ずつに捌く捌き機構１４が設けられる。原稿が搬送される第１搬送路３１には、原稿搬送方向上流側から順に、プレレジロール１５、レジロール１６、プラテンロール１７、およびアウトロール１８が設けられる。また、原稿送り装置１０の内部には、ＣＩＳ(Contact Image Sensor)ユニット８０が設けられている。
【００１０】
プレレジロール１５は、一枚ずつに捌かれた原稿を下流側のロールに向けて搬送すると共に原稿のループ形成を行う。レジロール１６は、回転を一旦停止した後にタイミングを合わせて回転を再開し、後述する原稿読み取り部に対してレジストレーション調整を施しながら原稿を供給する。プラテンロール１７は、読み取り装置５０にて読み込み中の原稿搬送をアシストする。アウトロール１８は、読み取り装置５０にて読み込まれた原稿をさらに下流に搬送する。また、アウトロール１８よりも原稿搬送方向下流側には、原稿を排紙積載部１２に導くための第２搬送路３２が設けられる。この第２搬送路３２には、排出ロール１９が設けられる。
【００１１】
なお、原稿送り装置１０により原稿の搬送がなされる際、原稿の第１面（片面)は、第２プラテンガラス５２Ｂに押し当てられ、この第１面の画像は受光部の一例としてのＣＣＤイメージセンサ５９にて読み込まれる。一方、ＣＩＳユニット８０は、第１搬送路３１を介して対向する他方の側から、第２面（他の片面）の画像を読み込む。
【００１２】
ここで、ＣＩＳユニット８０は、第１搬送路３１に対向配置されるガラス８１、このガラス８１を透過して原稿の第２面に光を照射する第１の光源８２ａ、第２の光源８２ｂを備える。また、原稿からの反射光を集光するセルフォックレンズ(登録商標)８３と、このセルフォックレンズ８３により集光された光を読み取るラインセンサ８４（受光部の他の一例）とを備える。ラインセンサ８４としては、ＣＣＤやＣＭＯＳ(Complementary Metal Oxide Semiconductor)センサ、密着型センサ等を用いることができる。なお、第１の光源８２ａおよび第２の光源８２ｂには、詳細は後述するＥＬ素子を用いることができる。ＣＩＳユニット８０では、縮小光学系を用いずに、セルフォックレンズ８３とラインセンサ８４とによる密着光学系を用いて画像の取り込みを行うことから、構造をシンプルにすることができ、且つ、筐体を小型化し、消費電力を低減することができる。
【００１３】
さらに、この画像読み取り装置１では、原稿の両面に形成された画像を１プロセスで読み取ることができるよう、アウトロール１８の出口側とプレレジロール１５の入口側との間に第３搬送路３３が設けられている。なお、上述した排出ロール１９は、原稿を第３搬送路３３に反転搬送する機能も有している。
さらにまた、この画像読み取り装置１には、原稿の両面読み取りを行った際、その排出時に原稿を再度反転させて排紙積載部１２に排出するための第４搬送路３４が設けられている。この第４搬送路３４は、第２搬送路３２の上部側に設けられている。そして、上述した排出ロール１９は、原稿を第４搬送路３４に反転搬送する機能も有している。
【００１４】
一方、読み取り装置５０は、上述した原稿送り装置１０を開閉可能に支持すると共に、この原稿送り装置１０を装置フレーム５１によって支え、また、原稿送り装置１０によって搬送される原稿の画像読み取りを行っている。この読み取り装置５０は、筐体を形成する装置フレーム５１、画像を読み込むべき原稿を静止させた状態で載置する第１プラテンガラス５２Ａ、原稿送り装置１０によって搬送される原稿を読み取るための光の開口部を有する第２プラテンガラス５２Ｂを備えている。ここで、第２プラテンガラス５２Ｂは、光透過性を有し原稿を支持する支持部として捉えることができる。
【００１５】
また、読み取り装置５０は、第２プラテンガラス５２Ｂの下に静止し、あるいは第１プラテンガラス５２Ａの全体にわたってスキャンして画像を読み込むフルレートキャリッジ５３、フルレートキャリッジ５３から得られた光を結像部へ供給するハーフレートキャリッジ５４を備えている。ここで、フルレートキャリッジ５３には、第１プラテンガラス５２Ａ等を通じ原稿に光を照射する第１の光源５５Ａと第２の光源５５Ｂとが設けられている。
【００１６】
また、フルレートキャリッジ５３には、原稿から得られた反射光を反射する第１ミラー５７Ａが設けられている。ここで、第１の光源５５Ａは、原稿の被読み取り部からＣＣＤイメージセンサ５９に至る光路よりもスキャン方向上流側（副走査方向上流側）に配置され、第２の光源５５Ｂは、この光路よりもスキャン方向下流側（副走査方向下流側）に配置されている。さらに、ハーフレートキャリッジ５４には、第１ミラー５７Ａから得られた光を結像部へ提供する第２ミラー５７Ｂおよび第３ミラー５７Ｃが設けられている。
【００１７】
また、読み取り装置５０は、モータ等の駆動源を備え、ハーフレートキャリッジ５４およびフルレートキャリッジ５３を、副走査方向に移動させる移動機構（不図示）を備えている。さらに、読み取り装置５０は、結像用レンズ５８およびＣＣＤイメージセンサ５９を備えている。これらのうち、結像用レンズ５８は、第３ミラー５７Ｃから得られた光学像を光学的に縮小する。また、ＣＣＤイメージセンサ５９は、結像用レンズ５８によって結像された光学像を光電変換する。つまり、読み取り装置５０では、所謂縮小光学系を用いてＣＣＤイメージセンサ５９に像を結像させている。また、読み取り装置５０には、第１プラテンガラス５２Ａと第２プラテンガラス５２Ｂとの間に、原稿送り装置１０において搬送される原稿を案内するガイド５６Ａが形成されており、このガイド５６Ａの下部には、主走査方向に沿って伸びる白基準板５６Ｂが装着されている。
【００１８】
さらに、読み取り装置５０は、制御・画像処理ユニット７０を備える。制御・画像処理ユニット７０は、ＣＩＳユニット８０に設けられるラインセンサ８４およびＣＣＤイメージセンサ５９から入力される原稿の画像データに、所定の処理を施す。また、制御・画像処理ユニット７０は、画像読み取り装置１（原稿送り装置１０、読み取り装置５０、およびＣＩＳユニット８０）の読み取り動作における各部の動作を制御する。なお、本実施形態における第１の光源５５Ａ、第２の光源５５Ｂ、ＣＣＤイメージセンサ５９等は、原稿の第１面（表面）の画像を読み取る読み取り手段として捉えることができる。
【００１９】
ここで、例えば、第１プラテンガラス５２Ａに置かれた原稿の画像を読み取る場合には、フルレートキャリッジ５３とハーフレートキャリッジ５４とが、２：１の割合でスキャン方向（矢印Ａ方向）に移動する。このとき、フルレートキャリッジ５３における第１の光源５５Ａおよび第２の光源５５Ｂから原稿の被読み取り部に対して光が照射される。そして、原稿からの反射光が、第１ミラー５７Ａにて反射される。その後、反射光は、第２ミラー５７Ｂ、および第３ミラー５７Ｃの順に反射されて結像用レンズ５８に導かれる。そして、結像用レンズ５８に導かれた光は、ＣＣＤイメージセンサ５９の受光面に結像される。ＣＣＤイメージセンサ５９は１次元のセンサであり、１ライン分を同時に処理している。そして、このライン方向（スキャンの主走査方向）の１ラインの読み取りが終了すると、主走査方向とは直交する方向（副走査方向）にフルレートキャリッジ５３は移動し、原稿の次のラインを読み取る。これを原稿サイズ全体に亘って実行することで、１ページの原稿読み取りが完了する。
【００２０】
一方、原稿送り装置１０によって搬送される原稿の画像を読み取る場合には、原稿送り装置１０によって搬送される原稿が第２プラテンガラス５２Ｂの上を通過する。このとき、フルレートキャリッジ５３とハーフレートキャリッジ５４とは、図１に示す実線の位置に停止した状態にある。そして、原稿送り装置１０のプラテンロール１７を経た原稿の１ライン目の反射光が、第１ミラー５７Ａ、第２ミラー５７Ｂ、および第３ミラー５７Ｃを経て結像用レンズ５８に導かれる。
【００２１】
そして、反射光は結像用レンズ５８にて結像され、ＣＣＤイメージセンサ５９によって画像が読み込まれる。そして、１次元のセンサであるＣＣＤイメージセンサ５９によって主走査方向の１ライン分が同時に処理された後、原稿送り装置１０によって搬送される原稿の次の主走査方向の１ラインが読み込まれる。その後、原稿の後端が、第２プラテンガラス５２Ｂの読み取り位置を通過することによって、副走査方向に亘って１ページの読み取りが完了する。ここで、本実施の形態では、ＣＣＤイメージセンサ５９により原稿の第１面の読み取りを行うときに、同時にＣＩＳユニット８０によって、原稿の第２面の読み取りを行うこともできる。
【００２２】
図２は、第１の光源５５Ａおよび第２の光源５５Ｂについて説明するための図である。なお、本図においてはフルレートキャリッジ５３の図示を省略している。
本実施形態における第１の光源５５Ａおよび第２の光源５５Ｂは、平板状且つ長尺状に、付言すれば平面型に形成されている。また、第１の光源５５Ａおよび第２の光源５５Ｂの各々は、所定幅Ｌを有するとともに主走査方向に沿って配置されている。また、第１の光源５５Ａおよび第２の光源５５Ｂの各々は、基板６０Ａと、この基板６０Ａに形成された発光部６０Ｂとからなる所謂エレクトロルミネッセンスランプ（ＥＬランプ（ＥＬ素子））により構成されている。なお、第１の光源５５Ａおよび第２の光源５５Ｂは、既存の技術を用いて構成することができ、例えば、基板６０Ａ側に配置されるとともに透明に形成され光透過性を有する第１の電極６０１と、第１の電極６０１の対向位置に配置される第２の電極６０３と、第１の電極６０１と第２の電極６０３との間に配置される発光層６０２と、を含んで構成することができる。なお、第１の光源５５Ａおよび第２の光源５５Ｂでは、基板６０Ａ側から光が出射される。このため、基板６０Ａの表面は光出射面と捉えることができる。
【００２３】
ここで、第１の光源５５Ａは、第２プラテンガラス５２Ｂ（搬送される原稿）に対して傾斜して配置されている。付言すれば、第１の光源５５Ａは、スキャン方向下流側の端部よりもスキャン方向上流側の端部の方が第２プラテンガラス５２Ｂに接近するように傾斜した状態で配置されている。さらに説明すれば、第１の光源５５Ａは、幅方向における一方側方が他方側よりも第２プラテンガラス５２Ｂに接近するように傾斜した状態で配置されている。また、第２の光源５５Ｂも、第２プラテンガラス５２Ｂに対して傾斜して配置されている。付言すれば、第２の光源５５Ｂは、スキャン方向上流側の端部よりもスキャン方向下流側の端部の方が第２プラテンガラス５２Ｂに接近するように傾斜した状態で配置されている。さらに説明すれば、第２の光源５５Ｂは、幅方向における一方側が他方側よりも第２プラテンガラス５２Ｂに接近するように傾斜した状態で配置されている。
【００２４】
ここで、傾斜して配置された第１の光源５５Ａおよび第２の光源５５Ｂの各々は、第２プラテンガラス５２Ｂと平行の基準線Ａに対し角度αを有する状態で配置されている。なお、この角度αは、第１の光源５５Ａおよび第２の光源５５Ｂの第２プラテンガラス５２Ｂ（原稿）に対する傾斜角の錯角に相当する。このため、角度αは、第１の光源５５Ａおよび第２の光源５５Ｂの第２プラテンガラス５２Ｂ（原稿）に対する傾斜角と捉えることもできる。なお、本明細書においては、以下、この角度αを傾斜角αと称する。
【００２５】
さらに、第１の光源５５Ａおよび第２の光源５５Ｂは、スキャン方向（副走査方向）において、距離Ｘをおいて配置されている。即ち、第１の光源５５Ａおよび第２の光源５５Ｂは、距離Ｘを有した状態で互いに離間した状態で配置されている（以下、第１の光源５５Ａと第２の光源５５Ｂとの距離Ｘを「離間距離Ｘ」と称する場合がある）。なお、第１の光源５５Ａと第２の光源５５Ｂとの間には、ＣＣＤイメージセンサ５９に至る光路が形成される。このため、離間距離Ｘは、スキャン時の振動や製造公差などによる、光路と第１の光源５５Ａ等との干渉を抑制可能な大きさに設定されている。なお、本実施形態における態様は、光路を挟んだ一方側に第１の光源５５Ａが配置され、光路を挟んだ他方側に第２の光源５５Ｂが配置された態様として捉えることが可能である。また、本実施形態では、第１の光源５５Ａと第２の光源５５Ｂとは、光路を対称軸として線対称となる関係で配置されている。
【００２６】
また、第１の光源５５Ａおよび第２の光源５５Ｂは、第２プラテンガラス５２Ｂから距離Ｙを有した位置に配置されている。即ち、第１の光源５５Ａおよび第２の光源５５Ｂは、第２プラテンガラス５２Ｂから距離Ｙを有し、第２プラテンガラス５２Ｂから離間して配置されている（以下、第１の光源５５Ａおよび第２の光源５５Ｂと第２プラテンガラス５２Ｂとの距離Ｙを「離間距離Ｙ」と称する場合がある）。
なお、第２プラテンガラス５２Ｂは、第１の光源５５Ａや第２の光源５５Ｂが連続して点灯した際などに熱の影響を受け、割れなどが生じるおそれがある。また、第１の光源５５Ａや第２の光源５５Ｂは、スキャン時に、第２プラテンガラス５２Ｂや第１プラテンガラス５２Ａと接触するおそれもある。このため、上記のように第１の光源５５Ａ等と第２プラテンガラス５２Ｂ等とは離間して配置することが好ましい。また、離間距離Ｙは、第２プラテンガラス５２Ｂの熱による割れや、第２プラテンガラス５２Ｂ等と第１の光源５５Ａ等との接触を回避可能な大きさに設定することが好ましい。
【００２７】
ところで、被読み取り部Ａにおける光量を増すためには、例えば、同図（ｂ）の破線で示した第２の光源５５Ｂのように、第２の光源５５Ｂの光出射面に対する法線であって幅方向の中央部から延びる法線（以下、「中央法線」と称する）が、被読み取り部Ａに向かうように、第２の光源５５Ｂを配置する態様が考えられる。
【００２８】
しかしながら、本発明者のコンピュータシミュレーションによる知見によれば、上記態様よりも、中央法線が被読み取り部Ａ以外に向かうように第２の光源５５Ｂを配置する方が、被読み取り部Ａにおける光量が増すことが確認された。詳細には、中央法線が被読み取り部Ａに向かうように第２の光源５５Ｂを配置した際の傾斜角α２よりも小さい傾斜角α１で、第２の光源５５Ｂを配置する方が被読み取り部Ａにおける光量が増すことが確認された。さらに付言すれば、中央法線が被読み取り部Ａに向かうように配置された場合の第２の光源５５Ｂよりも第２プラテンガラス５２Ｂ（原稿）に沿うように第２の光源５５Ｂを配置した方が、被読み取り部Ａにおける光量が増すことが確認された。
【００２９】
以下、シミュレーションの結果について詳細に説明していく。
ここで、図３は、離間距離Ｙおよび傾斜角αを変化させていき、被読み取り部Ａにおける光量が最大となる際の離間距離Ｙおよび傾斜角αをプロットしたものである。なお、本図では、光量が最大となる際の離間距離Ｙおよび傾斜角αを実線で示している。その一方で、上記中央法線が被読み取り部Ａに向かうように第１の光源５５Ａおよび第２の光源５５Ｂを配置した際の離間距離Ｙと傾斜角αとの関係を破線で示している。
なお、同図（ａ）は、離間距離Ｘが１．５ｍｍの場合の結果を示し、同図（ｂ）は、離間距離Ｘが３．０ｍｍの場合の結果を示し、同図（ｃ）は、離間距離Ｘが４．５ｍｍの場合の結果を示している。なお、第１の光源５５Ａおよび第２の光源５５Ｂの幅Ｌは、何れも２ｍｍとなっている。
【００３０】
まず同図（ａ）について説明すると、例えば離間距離Ｙが例えば３ｍｍの場合、中央法線が被読み取り部Ａに向かうように第１の光源５５Ａおよび第２の光源５５Ｂ（以下、「第１の光源５５Ａ等」とも称する）を配置する際の第１の光源５５Ａ等の傾斜角αは、２２°となる。その一方で、被読み取り部Ａにおける光量が最大となる際の第１の光源５５Ａ等の傾斜角αは、１３°となった。また、例えば離間距離Ｙが７ｍｍの場合、中央法線が被読み取り部Ａに向かうように第１の光源５５Ａ等を配置する際の第１の光源５５Ａ等の傾斜角αは、１４°となる。その一方で、被読み取り部Ａにおける光量が最大となる際の第１の光源５５Ａ等の傾斜角αは、３．４°となった。
この結果より、被読み取り部Ａにおける光量を最大にするためには、中央法線が被読み取り部Ａに向かうように配置された第１の光源５５Ａ等の傾斜角αよりも、小さい傾斜角αにて第１の光源５５Ａ等を配置すればよいことが分かる。
【００３１】
次に、同図（ｂ）について説明すると、例えば、離間距離Ｙが例えば３ｍｍの場合、中央法線が被読み取り部Ａに向かうように第１の光源５５Ａ等を配置する際の第１の光源５５Ａ等の傾斜角αは、３１．７°となる。その一方で、被読み取り部Ａにおける光量が最大となる際の第１の光源５５Ａ等の傾斜角αは、２３．１°となった。また、例えば離間距離Ｙが７ｍｍの場合、中央法線が被読み取り部Ａに向かうように第１の光源５５Ａ等を配置する際の第１の光源５５Ａ等の傾斜角αは、２１．３°となる。その一方で、被読み取り部Ａにおける光量が最大となる際の第１の光源５５Ａ等の傾斜角αは、９．１°となった。この結果からも、被読み取り部Ａにおける光量を最大にするためには、中央法線が被読み取り部Ａに向かうように配置された第１の光源５５Ａ等の傾斜角αよりも小さい傾斜角αにて第１の光源５５Ａ等を配置すればよいことが分かる。
【００３２】
さらに、同図（ｃ）について説明する。例えば、離間距離Ｙが例えば３ｍｍの場合、中央法線が被読み取り部Ａに向かうように第１の光源５５Ａ等を配置する際の第１の光源５５Ａ等の傾斜角αは、４０°となる。その一方で、被読み取り部Ａにおける光量が最大となる際の第１の光源５５Ａ等の傾斜角αは、３４°となった。また、例えば離間距離Ｙが７ｍｍの場合、中央法線が被読み取り部Ａに向かうように第１の光源５５Ａ等を配置する際の第１の光源５５Ａ等の傾斜角αは、２７．６°となる。その一方で、被読み取り部Ａにおける光量が最大となる際の第１の光源５５Ａ等の傾斜角αは、１８°となった。この結果からも、被読み取り部Ａにおける光量を最大にするためには、中央法線が被読み取り部Ａに向かうように配置された第１の光源５５Ａ等の傾斜角αよりも小さい傾斜角αにて第１の光源５５Ａ等を配置すればよいことが分かる。
【００３３】
次に図４について説明する。ここで、図４は、第１の光源５５Ａ等の幅Ｌを３ｍｍとしたうえで、離間距離Ｙおよび傾斜角αを変化させていき、被読み取り部Ａにおける光量が最大となる際の離間距離Ｙおよび傾斜角αをプロットしたものである。なお、本図でも、光量が最大となる際の離間距離Ｙおよび傾斜角αを実線で示している。その一方で、中央法線が被読み取り部Ａに向かうように第１の光源５５Ａ等を配置した際の離間距離Ｙと傾斜角αとの関係を破線で示している。なお、上記と同様に、（ａ）は離間距離Ｘが１．５ｍｍの場合の結果を示し、（ｂ）は、離間距離Ｘが３．０ｍｍの場合の結果を示し、（ｃ）は離間距離Ｘが４．５ｍｍの場合の結果を示している。
【００３４】
まず、同図（ａ）について説明すると、例えば、離間距離Ｙが例えば３ｍｍの場合、中央法線が被読み取り部Ａに向かうように第１の光源５５Ａ等を配置する際の第１の光源５５Ａ等の傾斜角αは、２４．９°となる。その一方で、被読み取り部Ａにおける光量が最大となる際の第１の光源５５Ａ等の傾斜角αは、１４．６°となった。また、例えば離間距離Ｙが７ｍｍの場合、中央法線が被読み取り部Ａに向かうように第１の光源５５Ａ等を配置する際の第１の光源５５Ａ等の傾斜角αは、１６．１°となる。その一方で、被読み取り部Ａにおける光量が最大となる際の第１の光源５５Ａ等の傾斜角αは、３．４°となった。この結果からも、被読み取り部Ａにおける光量を最大にするためには、中央法線が被読み取り部Ａに向かうように配置された第１の光源５５Ａ等の傾斜角αよりも小さい傾斜角αにて第１の光源５５Ａ等を配置すればよいことが分かる。
【００３５】
次に、同図（ｂ）について説明する。例えば、離間距離Ｙが例えば３ｍｍの場合、中央法線が被読み取り部Ａに向かうように第１の光源５５Ａ等を配置する際の第１の光源５５Ａ等の傾斜角αは、３３．５°となる。その一方で、被読み取り部Ａにおける光量が最大となる際の第１の光源５５Ａ等の傾斜角αは、２８．９°となった。また、例えば離間距離Ｙが７ｍｍの場合、中央法線が被読み取り部Ａに向かうように第１の光源５５Ａ等を配置する際の第１の光源５５Ａ等の傾斜角αは、２２．７°となる。その一方で、被読み取り部Ａにおける光量が最大となる際の第１の光源５５Ａ等の傾斜角αは、１０．１°となった。この結果からも、被読み取り部Ａにおける光量を最大にするためには、中央法線が被読み取り部Ａに向かうように配置された第１の光源５５Ａ等の傾斜角αよりも小さい傾斜角αにて第１の光源５５Ａ等を配置すればよいことが分かる。
【００３６】
さらに、同図（ｃ）について説明すると、例えば、離間距離Ｙが例えば３ｍｍの場合、中央法線が被読み取り部Ａに向かうように第１の光源５５Ａ等を配置する際の第１の光源５５Ａ等の傾斜角αは、４０．４°となる。その一方で、被読み取り部Ａにおける光量が最大となる際の第１の光源５５Ａ等の傾斜角αは、３８．３°となった。また、例えば離間距離Ｙが７ｍｍの場合、中央法線が被読み取り部Ａに向かうように第１の光源５５Ａ等を配置する際の第１の光源５５Ａ等の傾斜角αは、２８．８°となる。その一方で、被読み取り部Ａにおける光量が最大となる際の第１の光源５５Ａ等の傾斜角αは、２３．１°となった。この結果からも、被読み取り部Ａにおける光量を最大にするためには、中央法線が被読み取り部Ａに向かうように配置された第１の光源５５Ａ等の傾斜角αよりも小さい傾斜角αにて第１の光源５５Ａ等を配置すればよいことが分かる。
【００３７】
このように、中央法線が被読み取り部Ａに向かうように配置された第１の光源５５Ａ等の傾斜角αよりも小さい傾斜角αにて第１の光源５５Ａ等を配置した場合、被読み取り部Ａにおける光量を増すことができる。なお、傾斜角αよりも小さい傾斜角αにて第１の光源５５Ａ等を配置した場合、第１の光源５５Ａの中央法線と第２の光源５５Ｂの中央法線との交点（交差位置）は、被読み取り部Ａ以外に位置する。詳細には、交点は、被読み取り部Ａよりも第１の光源５５Ａおよび第２の光源５５Ｂから離れた側に位置する（図２（ａ）参照）。このため、交点を被読み取り部Ａ以外に配置した場合（交点を被読み取り部Ａよりも第１の光源５５Ａおよび第２の光源５５Ｂから離れた側に配置した場合）、被読み取り部Ａにおける光量が増加する、と言うこともできる。
【００３８】
この結果、例えば、所謂キャビティの発生も低減することができる。ここでキャビティとは、例えば、被読み取り部に隣接して密度の高い画像が形成されている場合に、被読み取り部における光量が低下し、ＣＣＤイメージセンサ５９にて受光される光の光量が低下する現象をいう。
被読み取り部に隣接して画像密度の高い画像が形成されている場合、照射される光がこの画像密度の高い部分にて吸収されてしまう。被読み取り部には、第１の光源５５Ａおよび第２の光源５５Ｂから直接照射される光のみならず、被読み取り部以外にて反射する光も照射される。画像密度の高い画像が形成されている場合には、光の吸収が起こりこの反射する光の光量が低下し、被読み取り部における光量が低下してしまう。本実施形態では、被読み取り部における光量自体を増すことができるため、上記画像密度の高い画像が形成されていたとしても、被読み取り部における光量を確保可能となり、キャビティの発生を低減可能となる。
【００３９】
さらに、例えば、図３（ａ）における離間距離Ｙが３ｍｍの場合、本実施形態における第１の光源５５Ａ等の高さ方向における寸法Ｈ（図２（ａ）参照）は、約０．４５ｍｍ（Ｌ×ｓｉｎα＝２×ｓｉｎ１３°）となる。一方、中央法線が被読み取り部Ａに向かうように第１の光源５５Ａ等を配置した場合の寸法Ｈは、０．７５ｍｍ（Ｌ×ｓｉｎα＝２×ｓｉｎ２２°）となる。
また、例えば、図４（ａ）における離間距離Ｙが３ｍｍの場合、本実施形態における第１の光源５５Ａ等の高さ方向における寸法Ｈは、約０．７６ｍｍ（Ｌ×ｓｉｎα＝３×ｓｉｎ１４．６°）となる。一方、中央法線が被読み取り部Ａに向かうように第１の光源５５Ａ等を配置した場合の寸法Ｈは、約１．２６ｍｍ（Ｌ×ｓｉｎα＝３×ｓｉｎ２４．９°）となる。
【００４０】
即ち、本実施形態における第１の光源５５Ａ等の配置態様の場合、中央法線が被読み取り部Ａに向かうように第１の光源５５Ａ等を配置した場合に比べ、第１の光源５５Ａ等の高さ方向における寸法Ｈを小さいものとすることができる。この結果、本実施形態における態様は、被読み取り部Ａにおける光量を増すことが可能となるとともに、第１の光源５５Ａ等の配置スペースを小さいものとすることができる。即ち、本実施形態における構成では、照明効率の向上と省スペース化の両立が実現可能となる。
【００４１】
なお、上記説明では、第１の光源５５Ａおよび第２の光源５５Ｂの２つの光源を用いた場合を説明したが、どちらか一方の光源のみであったとしても上記と同様の結果が得られることを確認している。即ち、どちらか一方の光源のみであったとしても、中央法線が被読み取り部Ａに向かうように光源が配置された場合に比べ、被読み取り部Ａにおける光量が増加することを確認している。
また、本実施形態では、第１の光源５５Ａおよび第２の光源５５Ｂがフルレートキャリッジ５３に設けられた例を説明したが、ＣＩＳユニット８０における第１の光源８２ａおよび第２の光源８２ｂも本実施形態の形態にて配置することができる。
【００４２】
さらに、上記では、離間距離Ｙが３ｍｍ以上の場合を具体例として示したが、離間距離Ｙが０ｍｍである場合や、離間距離Ｙが７ｍｍを超える場合も、上記と同様の結果が得られることを確認している。また、上記では、第１の光源５５Ａ等の幅Ｌが２ｍｍおよび３ｍｍの場合を具体例として説明したが、第１の光源５５Ａ等の幅Ｌが３ｍｍを超える場合も上記と同様の結果が得られることを確認している。
【００４３】
さらに、本実施形態では、フルレートキャリッジ５３に第１の光源５５Ａおよび第２の光源５５Ｂを配置した例を説明したが、第２プラテンガラス５２Ｂの裏面に、搬送原稿への光照射に用いられる専用の第１の光源５５Ａおよび第２の光源５５Ｂを設けることもできる。そして、搬送原稿に対してはこの専用の第１の光源５５Ａおよび第２の光源５５Ｂを用いて光を照射し、第１プラテンガラス５２Ａに置かれた原稿に対してはフルレートキャリッジ５３に設けられた第１の光源５５Ａおよび第２の光源５５Ｂを用いて光を照射することができる。なおこの場合、第２プラテンガラス５２Ｂの裏面に設けられる第１の光源５５Ａおよび第２の光源５５Ｂについては、上記のように離間距離Ｙ＝０にて配置することができる。付言すれば、第１の光源５５Ａ等の幅方向における一方側を第２プラテンガラス５２Ｂに接触させて配置することができる。この場合、被読み取り部Ａにおける光量を更に増すことが可能となる。
【図面の簡単な説明】
【００４４】
【図１】本実施形態が適用される画像読み取り装置の構成例を示す図である。
【図２】第１の光源および第２の光源について説明するための図である。
【図３】離間距離Ｙおよび傾斜角αを変化させていき、被読み取り部Ａにおける光量が最大となる際の離間距離Ｙおよび傾斜角αをプロットしたものである。
【図４】第１の光源等の幅Ｌを３ｍｍとしたうえで、離間距離Ｙおよび傾斜角αを変化させていき、被読み取り部Ａにおける光量が最大となる際の距離Ｙおよび傾斜角αをプロットしたものである。
【符号の説明】
【００４５】
１…画像読み取り装置、１０…原稿送り装置、５２Ｂ…第２プラテンガラス、５５Ａ…第１の光源、５５Ｂ…第２の光源、５９…ＣＣＤイメージセンサ、８２ａ…第１の光源、８２ｂ…第２の光源、８４…ラインセンサ、Ａ…被読み取り部
【図１】
2009212745.tif 000003
【図２】
2009212745.tif 000004
【図３】
2009212745.tif 000005
【図４】
2009212745.tif 000006